(57)【特許請求の範囲】
【請求項１】
カーテンレールを取り付けるブラケットと、このブラケットの片端面を垂直に固定して壁面に取着される補助金具とからなり、
前記補助金具の固定面には、前記ブラケットの片端面を固定する固定ねじを挿着するための複数の固定溝と、これら固定溝を連通するスライド溝とが形成され、
前記固定ねじと前記固定溝との係合により、前記ブラケットの壁面への固着位置が調整できる
ことを特徴とするカーテンレール用ブラケット。
【請求項２】
カーテンレールを取り付けるブラケットと、このブラケットの片端面を垂直に固定して壁面に取着される補助金具とからなり、
前記ブラケットには、該ブラケットを取着ねじで天井に取り付けるための取付孔と、カーテンレールを係止するための係止具とが設けられ、
前記補助金具の固定面には、前記ブラケットの片端面を固定する固定ねじを挿着するための複数の固定溝と、これら固定溝を連通するスライド溝とが形成され、
前記固定ねじと前記固定溝との係合により、前記ブラケットの壁面への固着位置が調整できる
ことを特徴とするカーテンレール用ブラケット。
【請求項３】
カーテンレールを取り付けるブラケットと、このブラケットの片端面を垂直に固定して壁面に取着される補助金具とからなり、
前記ブラケットには、ブラケットを取着ねじで天井に取り付けるための取付孔と、カーテンレールを係止するための係止具とが設けられ、
前記補助金具の固定面には、前記ブラケットの片端面を固定する固定ねじを挿着するための複数の固定溝と、これら固定溝を連通するスライド溝とが形成され、
前記固定溝の領域の板厚が前記スライド溝の領域の板厚より厚く形成されるとともに、該固定溝とスライド溝とがテーパ面にて接続され、
前記固定ねじと前記固定溝との係合により、前記ブラケットの壁面への固着位置が調整できる
ことを特徴とするカーテンレール用ブラケット。
【請求項４】
カーテンレールを取り付けるブラケットと、このブラケットの端面を垂直に固定して壁面に取着される補助金具とからなり、
前記ブラケットには、ブラケットを取着ねじで天井に取り付けるための取付孔と、カーテンレールを係止するための係止具を取り付けるためのねじ孔と、カーテンレールを係止するための係止片とが形成され、
前記補助金具の固定面には、前記ブラケットの片端面を固定する固定ねじを挿着するための複数の固定溝と、これら固定溝を連通するスライド溝とが形成され、
前記固定溝の領域の板厚が前記スライド溝の領域の板厚より厚く形成されるとともに、該固定溝とスライド溝とがテーパ面にて接続され、
前記固定ねじと前記固定溝との係合により、前記ブラケットの壁面への固着位置が調整できる
ことを特徴とするカーテンレール用ブラケット。
【発明の詳細な説明】
【技術分野】
【０００１】
本発明は、カーテンを開閉可能に吊持するカーテンレールを支持するカーテンレール用ブラケットに関する。
【背景技術】
【０００２】
従来、カーテンは、窓の上方に幅方向に亘って水平に支持されたカーテンレールに吊持されている。このカーテンレールを壁に固定するものとしてカーテンレール用ブラケットが使用されている。このカーテンレール用ブラケットとして、特許文献１に示すようなカーテンレール用ブラケットがある。
【０００３】
この特許文献１に示すカーテンレール用ブラケットは、ベースとアームからなるカーテンレール用ブラケットにおいて、ベースは固定孔を有する垂直板部と長孔を有する水平板部からなるＬ字形板金成形品とし、アームは水平に延長し下方に開口するコ字形横断面の角板部と、角板部の前端のＵ字形レール支持部を有する板金成形品とし、角板部の後端に爪を、中央に止めねじを、爪の前側に切り欠き形成したものである。
【特許文献１】実用新案登録第３０７９３１４号公報
【発明の開示】
【発明が解決しようとする課題】
【０００４】
しかしながら、上述のカーテンレール用ブラケットにあっては、窓の壁に固定されるベースに、固定用の二つの固定孔が形成され、この固定孔は一方が長孔に、他方が丸孔にそれぞれ形成されている。したがって、固定ねじに対してこの長孔の範囲内においては上下方向に位置調整が可能であるが、調整範囲が長孔の寸法によって限定されることから大幅な調整は難しいという問題があった。そのため、他方の丸孔の位置に移動して固定することも可能であり、その場合は大幅な位置調整が可能であったが、そのためには、一旦、カーテンレール用ブラケットを取り外し、再度取り付けを行う必要があり、非常に手間のかかるものとなっていた。
【０００５】
本発明は、上述した従来の問題に鑑みなされたもので、取付金具で壁面に取着した後でも簡単に位置の調整ができ、また天井面に取り付ける場合は、取付金具を不要にできるカーテンレール用ブラケットを提供する。
【課題を解決するための手段】
【０００６】
本発明は、上記の課題を解決するため、カーテンレールを取り付けるブラケットと、このブラケットの片端面を垂直に固定して壁面に取着される補助金具とからなり、前記補助金具の固定面には、前記ブラケットの片端面を固定する固定ねじを挿着するための複数の固定溝と、これら固定溝を連通するスライド溝とが形成され、前記固定ねじと前記固定溝との係合により、前記ブラケットの壁面への固着位置が調整できることを特徴としている。
【０００７】
また本発明は、カーテンレールを取り付けるブラケットと、このブラケットの片端面を垂直に固定して壁面に取着される補助金具とからなり、前記ブラケットには、該ブラケットを取着ねじで天井に取り付けるための取付孔と、カーテンレールを係止するための係止具とが設けられ、前記補助金具の固定面には、前記ブラケットの片端面を固定する固定ねじを挿着するための複数の固定溝と、これら固定溝を連通するスライド溝とが形成され、前記固定ねじと前記固定溝との係合により、前記ブラケットの壁面への固着位置が調整できることを特徴としている。
【０００８】
さらに本発明は、カーテンレールを取り付けるブラケットと、このブラケットの片端面を垂直に固定して壁面に取着される補助金具とからなり、
前記ブラケットには、ブラケットを取着ねじで天井に取り付けるための取付孔と、カーテンレールを係止するための係止具とが設けられ、前記補助金具の固定面には、前記ブラケットの片端面を固定する固定ねじを挿着するための複数の固定溝と、これら固定溝を連通するスライド溝とが形成され、前記固定溝の領域の板厚が前記スライド溝の領域の板厚より厚く形成されるとともに、該固定溝とスライド溝とがテーパ面にて接続され、前記固定ねじと前記固定溝との係合により、前記ブラケットの壁面への固着位置が調整できることを特徴としている。
【０００９】
また本発明は、カーテンレールを取り付けるブラケットと、このブラケットの端面を垂直に固定して壁面に取着される補助金具とからなり、前記ブラケットには、ブラケットを取着ねじで天井に取り付けるための取付孔と、カーテンレールを係止するための係止具を取り付けるためのねじ孔と、カーテンレールを係止するための係止片とが形成され、前記補助金具の固定面には、前記ブラケットの片端面を固定する固定ねじを挿着するための複数の固定溝と、これら固定溝を連通するスライド溝とが形成され、前記固定溝の領域の板厚が前記スライド溝の領域の板厚より厚く形成されるとともに、該固定溝とスライド溝とがテーパ面にて接続され、前記固定ねじと前記固定溝との係合により、前記ブラケットの壁面への固着位置が調整できることを特徴としている。
【００１０】
固定溝を有する補助金具は、壁面に縦位置で取着してもよく、あるいは横位置に取着することもできる。
【発明の効果】
【００１１】
本発明は上述のように構成されたことにより、補助金具を壁面に取着した後でもブラケットの位置を、補助金具を外すことなく高さ位置を自在に変更することができるので、ブラケットの取着位置の変更を簡単に行うことができる。
【００１２】
また、本発明のカーテンレール用ブラケットは、補助金具を壁面に横向きに取着することができるので、窓枠に応じて自在にブラケットの位置を調整することが可能であり、額縁などの邪魔物があってもブラケットを取着することができる。
【００１３】
さらに、本発明のカーテンレール用ブラケットは、ブラケットと補助金具が別体で構成されているので、補助金具を壁面に簡単に取着できるとともに補助金具を使用せずにブラケットのみを天井に取着して使用することができ、利便性が非常に高い。
【００１４】
また、本発明のカーテンレール用ブラケットは、補助金具のブラケットとの固定面には、複数の固定溝と、この固定溝を連結するスライド溝が形成され、これら固定溝とスライド溝とをテーパ面でつなぐようにしたから、固定ねじが固定溝の位置にあるときはしっかり固定され、また固定ねじがスライド溝の位置にあるときは自在に移動させることが可能となる。
【００１５】
さらに、本発明のカーテンレール用ブラケットは、カーテンレールを係止するための係止具が取り付けられ、またカーテンレールを係止するための係止片が形成されていることにより、カーテンレールをワンタッチで取り付けることができ、取り外しも簡単にできる。
【発明を実施するための最良の形態】
【００１６】
以下、本発明のカーテンレール用ブラケットの一形態例を、図面に基づいて説明する。
図１は本発明に係るカーテンレール用ブラケットを示す分解斜視図、図２は図１のカーテンレール用ブラケットの使用状態を示す組み立て斜視図、図３は図２のＩＩＩ−ＩＩＩ断面図、図４は図２のカーテンレール用ブラケットを窓側の壁面に取着した状態を示す一部破断側面図、図５は図１のカーテンレール用ブラケットを天井側に取着した状態を示す一部破断側面図である。
【００１７】
本発明に係るカーテンレール用ブラケットは、図１および図２に示すように、カーテンレールを取り付けるブラケット１と、該ブラケット１の片端面を垂直に固定して壁面２１に取着される補助金具１０とからなっている。補助金具１０のブラケット固定面１１には、ブラケット１の片端面を固定する固定ねじ１５を挿着するための複数の固定溝１２と、これら固定溝１２を連通するスライド溝１３とが形成されており、固定ねじ１５と固定溝１２との係合によって、ブラケット１の壁面への固着位置が調整できるようにしている。
【００１８】
固定溝１２とスライド溝１３は、ブラケット１を固定するとともに位置調整可能にする。すなわち、ブラケット１を固定する固定ねじ１５がスライド溝１３の位置にあれば、この固定ねじ１５が自在に移動可能になって、ブラケット１の位置調整ができ、また固定ねじ１５が固定溝１２の中にあれば、ブラケット１を強固に固定する。そのため、このブラケット固定面１１の断面は、図３に示すように、固定溝１２とスライド溝１３の板厚がそれぞれ異なっていて、固定溝１２の奥側の領域の板厚ｔ１がスライド溝１３の領域の板厚ｔ２よりも厚く形成されており、これら厚さの異なる２つの領域を固定溝１２の入り口側に設けたテーパ面にて接続している。なお、ｔ１とｔ２の寸法差は設計の範囲内で適宜決定される。
【００１９】
補助金具１０は、壁面２１に取り付けた際に、ブラケット１を固定する固定ねじ１５の頭部１５ａがブラケット固定面１１より外側に突き出るので、取り付けが不安定になってしまう。そのため、ブラケット固定面１１の両側にガイド壁１４，１４を固定ねじ１５の頭部１５ａより高くなるように突出形成し、図４に示すように、壁面２１とはこのガイド壁１４，１４で接するようにさせ、取り付けを安定させるようにしている。
【００２０】
ブラケット１は、断面略コ字状に形成されたブラケット枠２の一方の端面に固定板３が直交して設けられ、この固定板３の中央部に補助金具１０を固着する際に固定ねじ１５を螺着するためのねじ孔３ａが形成されている。ブラケット枠２の他端面には、傾斜板５が略３０度の角度で突出しており、この傾斜板５の先端を折り返して、後述するカーテンレール２０を係止するための係止片５ａとしている。
【００２１】
ブラケット枠２の両側面下側には、カーテンレール２０の取り付け用に２箇所のレール溝８，９が形成されている。一方のレール溝８は、図４に示すように、先端部５の係止片５ａと後述する係止具６の係止爪６ｂとによりカーテンレール２０の係止溝２０ａを係止するように構成され、他方のレール溝９は、ブラケット枠２の側面に形成された係止片２ａと係止具６の係止爪６ｂとによりカーテンレール２０の係止溝２０ａを係止するように構成されている。
【００２２】
ブラケット枠２のほぼ中央部に長円形の凹部４が形成されており、この凹部４にはブラケット１を天井に固着する際に使用する取付孔４ａと、カーテンレール２０を係止するために使用する係止具６をねじ止めするねじ孔４ｂ，４ｂが形成されている。なお、凹部４にねじ孔４ｂ，４ｂが形成されているのは、ブラケット１を天井に固着した場合に係止具６の係止ねじ７の先端が天井にぶつからないようにするためである。
【００２３】
ブラケット１に取り付けられている係止具６は、合成樹脂材料を射出成形などにより所定の形状に加工したもので、平板の中央部に位置調整用の長孔６ａが形成されており、一端部にカーテンレール２０を係止するための係止爪６ｂが楔状に形成され、係止爪６ｂと反対側の他端部両側にＶ字状のばね片６ｃが形成されてる。本形態例では２つの係止具６，６のばね片６ｃ，６ｃ同士を接合して一体化したものを使用しており、この係止具６，６をブラケット枠２の下面に係着することにより、外側の係止爪６ｂ，６ｂをブラケット２の一端面と他端面方向へ付勢するようにしている。なお、本形態例では、２個の係止具６，６を一体化して取り付ける構造としているが、係止具６を単体で用いるようにしてもよい。
【００２４】
このように構成されたカーテンレール用ブラケットを使用する場合は、まず、ブラケット１に係止具６，６を、係止ねじ７により長孔６ａの範囲内で係止具６が移動可能な状態で仮止めする。そして、図２に示すように、ブラケット１を固定ねじ１５で補助金具１０に螺着する。この固定ねじ１５の締めつけ具合は、固定ねじ１５がスライド溝１３の位置にある場合は移動を許容する程度の強さであり、図示しないドライバーなどの工具を使用して、固定ねじ１５を両溝１３，１２間のテーパ面を滑らせながら固定溝１２方向に送ると、前記固定溝１２領域の板厚ｔ１＞スライド溝１３領域の板厚ｔ２の関係からきつい締めつけ具合となり、固定ねじ１５が固定溝１２に位置した状態ではブラケット１と補助金具１０とが強固に固定される。
【００２５】
このように、ブラケット１と補助金具１０とを固着したカーテンレール用ブラケットを、図４に示すように窓側の壁面２１に取り付ける場合は、取着ねじ１６を用いて壁面２１に螺着する。なお、ブラケット１の固定ねじ１５が固定溝１２の中央の段または下段にあるときは上段の固定溝１２に取着ねじ１６で取着する。
次いで、カーテンレール２０の一方の係止溝２０ａを係止片２ａ，５ａに引っかける。そして、カーテンレール２０の他方側を係止具６の係止爪６ｂの楔状の斜面に沿って押し込むと、それぞれの係止具６がばね片６ｃの弾発力によってブラケット枠２の中央方向へ移動して、カーテンレール２０の反対側の係止溝２０ａにそれぞれの係止爪６ｂが入り込む。しかるのち、係止具６がばね片６ｃの弾発力によってブラケット枠２の一端部と他端方向へ押し戻され、係止爪６ｂと係止溝２０ａが係止する。
【００２６】
また、このカーテンレール２０を取り外す場合は、カーテンレール２０を係止している係止具６の係止爪６ａと、カーテンレール２０の係止溝２０ａの間にドライバーの先端を入れてこじれば、係止具６がブラケット枠２の中央方向へ移動するので、カーテンレール２０を簡単に外すことができる。
【００２７】
さらに、カーテンレール用ブラケットを天井２２に取着する場合は、図５に示すように、補助金具１０を使用せずブラケット１のみを使用する。この場合は係止具６を係止ねじ７でブラケット１に係止した後に、ブラケット１を取着ねじ１７で天井２２に取着する。
【００２８】
以上説明したように、本発明のカーテンレール用ブラケットは、補助金具のスライド溝により、補助金具を壁面に取着した後でも、ブラケットの位置を補助金具を外すことなく高さ位置を自在に変更することができるので、ブラケットの取着位置の変更が簡単に行える。そして、補助金具を壁面２１に横向きに取着することができるので、窓枠に応じて自在にブラケットの位置を調整することができ、額縁などの邪魔物があってもブラケットを取着することができる。
【００２９】
また、本発明のカーテンレール用ブラケットは、ブラケットと補助金具が別体で構成されているので、補助金具を壁面に簡単に取着できるとともに補助金具を使用せずにブラケットのみを天井に取着して使用することができ、利便性が非常に高いものとなる。そして、板厚の厚い固定溝と板厚の薄いスライド溝とをテーパ面で接続するようにしたから、固定ねじが固定溝の位置にあるときはしっかり固定され、また固定ねじがスライド溝の位置にあるときは自在に移動することができるので、カーテンレール用ブラケットの取付作業性が向上される。
【００３０】
さらに本発明は、カーテンレールを係止するための係止具が取り付けられ、カーテンレールを係止するための係止片が形成されていることにより、カーテンレールをワンタッチで取り付けることができ、取り外しも簡単にできる。
【図面の簡単な説明】
【００３１】
【図１】本発明に係るカーテンレール用ブラケットを示す分解斜視図である。
【図２】図１のカーテンレール用ブラケットの使用状態を示す斜視図である。
【図３】図２のＩＩＩ−ＩＩＩ断面図である。
【図４】図１のカーテンレール用ブラケットを窓側の壁面に取着した状態を示す一部破断側面図である。
【図５】図１のカーテンレール用ブラケットを天井側に取着した状態を示す一部破断側面図である。
【符号の説明】
【００３２】
１      ブラケット
２      ブラケット枠
２ａ    係止片
３      固定板
３ａ    ねじ孔
４      凹部
４ａ    取付孔
４ｂ    ねじ孔
５      先端部
５ａ    係止片
６      係止具
６ａ    長孔
６ｂ    係止爪
６ｃ    ばね片
７      係止ねじ
８      レール溝
９      レール溝
１０      補助金具
１１      ブラケット固定面
１２      固定溝
１３      スライド溝
１４      ガイド壁
１５      固定ねじ
１６      取着ねじ
１７      取着ねじ
２０      カーテンレール
２０ａ    係止溝
２１      壁面
２２      天井
【図１】
0004646817.tif 000002
【図２】
0004646817.tif 000003
【図３】
0004646817.tif 000004
【図４】
0004646817.tif 000005
【図５】
0004646817.tif 000006